(57)【要約】【課題】遊技盤用外部端子基板を継続使用可能とするとともに、制御基板と遊技盤用外部端子基板とを容易に接続することができる遊技機を提供する【解決手段】遊技機の本体枠側に設けられた遊技盤装着部２１に対し遊技盤４０が着脱交換可能に装着される形式の遊技機であって、遊技盤４０の後側には制御基板４６が配設される一方、本体枠側には制御基板４６からの遊技系情報を外部に伝達可能な遊技盤用外部端子基板６０が配設されている。【選択図】        図１
2004267537.tif 000002
【特許請求の範囲】
【請求項１】
遊技機の本体枠側に設けられた遊技盤装着部に対し遊技盤が着脱交換可能に装着される形式の遊技機であって、
前記遊技盤の後側には制御基板が配設される一方、
前記本体枠側には前記制御基板からの遊技系情報を外部に伝達可能な遊技盤用外部端子基板が配設されていることを特徴とする遊技機。
【発明の詳細な説明】
【０００１】
【発明の属する技術分野】
この発明は、パチンコ機、あるいはそれに類する遊技機に関する。
【０００２】
【従来の技術】
従来、遊技機（例えば、パチンコ機）において、その本体枠側に設けられた遊技盤装着部に対し遊技盤が着脱交換可能に装着される形式の遊技機が知られている。
この種の遊技機において、遊技盤の後側には、制御基板とその制御基板からの遊技系情報を外部に伝達可能な遊技盤用外部端子基板が配設された構造のものが知られている。（例えば、特許文献１参照）。
【０００３】
【特許文献１】
特開平７−６６６７９号公報（第２−３頁、図１）
【０００４】
【発明が解決しようとする課題】
ところで、遊技盤の後側に遊技盤用外部端子基板が配設された構造のものにおいては、遊技盤の着脱交換（新旧交換）の度毎に、使用済みの遊技盤とともに遊技盤用外部端子基板も処分される。すなわち、使用済みの遊技盤から遊技盤用外部端子基板を取り外して再利用（再使用）することは多くの手間が必要となり、コスト高となるため、使用済みの遊技盤とともに遊技盤用外部端子基板も廃棄処分される場合があった。
【０００５】
この発明の目的は、前記した問題点に鑑み、遊技盤用外部端子基板を遊技機の本体枠側に配設して継続使用可能とするとともに、遊技盤側の制御基板と本体枠側の遊技盤用外部端子基板とを容易かつ正確に接続することができる遊技機を提供することである。
【０００６】
【課題を解決するための手段】
前記目的を達成するために、手段１の発明に係る遊技機は、請求項１に記載されたとおりの構成、すなわち、
「遊技機の本体枠側に設けられた遊技盤装着部に対し遊技盤が着脱交換可能に装着される形式の遊技機であって、
前記遊技盤の後側には制御基板が配設される一方、
前記本体枠側には前記制御基板からの遊技系情報を外部に伝達可能な遊技盤用外部端子基板が配設され、
前記遊技盤側には、前記遊技盤用外部端子基板の所在を表示する遊技盤対応表示手段が設けられていることを特徴とする遊技機。」を要旨とする。
したがって、本体枠側に遊技盤用外部端子基板が配設されるため、遊技盤の着脱交換に係わらず遊技盤用外部端子基板を継続して使用可能となる。
また、遊技盤側の制御基板と本体枠側の遊技盤用外部端子基板とを電気的に接続する際には、遊技盤側に設けられた遊技盤対応表示手段を目視することで、本体枠側の遊技盤用外部端子基板の所在が明らかとなる。このため、遊技盤側の制御基板と本体枠側の遊技盤用外部端子基板との電気的な接続が容易にかつ正確になされる。
また、遊技盤用外部端子基板とホールコンピュータとの電気的な接続においても、接続し直すことなくそのままの接続状態で使用可能となり、電気的な接続作業や接続の誤り等を解消することができる。
【０００７】
手段２の発明に係る遊技機は、手段１に記載の遊技機であって、遊技盤対応表示手段は、遊技盤側の所定位置に貼り付けられる遊技盤対応表示シールによって形成されている。
したがって、遊技盤側の所定位置に遊技盤対応表示シールを貼り付けることで、本体枠側の遊技盤用外部端子基板の所在を明確にすることができる。
【０００８】
手段３の発明に係る遊技機は、手段２に記載の遊技機であって、遊技盤対応表示シールには、遊技盤の種類に合致した複数の遊技系情報にそれぞれ対応する表示がなされている。
したがって、遊技盤対応表示シールに表示されている複数の遊技系情報を目視することで、本体枠側の遊技盤用外部端子基板の外部出力用端子の種類を明確化することができる。このため、遊技ホールにおいて、遊技盤用外部端子基板の外部出力用端子とホールコンピュータとの電気的接続を容易にかつ正確に行うことができる。
【０００９】
手段４の発明に係る遊技機は、手段１〜３のいずれか一項に記載の遊技機であって、本体枠側と遊技盤側との間には、遊技盤装着部に対する遊技盤の装着動作によって制御基板と遊技盤用外部端子基板とを電気的に接続する接続端子が設けられている。
したがって、遊技盤装着部に対する遊技盤の装着動作によって遊技盤側の制御基板と本体枠側の遊技盤用外部端子基板とが電気的に接続されるため、遊技盤装着部に遊技盤を装着した後、遊技盤側の制御基板と本体枠側の遊技盤用外部端子基板とを接続線を用いかつ手作業によって電気的に接続する手間を省くことができる。
【００１０】
【発明の実施の形態】
この発明の実施の形態を図面にしたがって説明する。
パチンコ機あるいはそれに類する遊技機を簡略化して平断面で表した図１及び背面から表した図２において、遊技機は、外枠体１０、前枠体１３、扉体１６、機構盤２０、遊技盤４０、カバー体４４等を主体として構成されている。
外枠体１０の前側には、その片側に配設された前枠ヒンジ機構（図示しない）によって前枠体１３が開閉可能に装着されている。また前枠体１３は、その前枠ヒンジ機構とは反対側の自由端よりに配設された施錠装置（図示しない）によって外枠体１０の前側に閉じ状態に施錠されるようになっている。
前枠体１３は、木質合板、合成樹脂、軽合金等より形成され、その略中央部には、遊技盤４０に対応する開口部１４が形成されている。
また、前枠体１３の前面には、扉体（ガラス扉とも呼ばれている）１６がその一側（前枠ヒンジ機構が配設される側）において扉ヒンジ機構１５によって開閉可能に装着されている。この扉体１６は、遊技盤４０の前側部分を前方から透視可能な開口窓１７を有し、その開口窓１７には、２枚のガラス板等の透明板１８が着脱可能に装着されている。
【００１１】
図１と図２に示すように、前枠体１３の後面側には、その開口部１４の周縁部に沿って枠状をなす機構盤２０が装着されている。この機構盤２０の枠部内周部に沿って、遊技盤４０が着脱可能に装着される遊技盤装着部２１が形成されている。なお、前枠体１３、機構盤２０等が遊技機の本体枠部を構成している。また、機構盤２０の後面の所定位置には、図示はしないが、周知の球タンク、タンクレール、球払い出し装置等が装着される。
【００１２】
図１と図２に示すように、機構盤２０の枠部内周部に沿う遊技盤装着部２１の片側（遊技機の前側から見て左側）には、保持体３０がその上下両端部に突設された上下方向の軸３１を中心として回動可能に装着されている。
この保持体３０は、遊技盤４０の一側部が挿脱可能に差し込まれる差込溝３２を有して平断面で略コの字状に形成されている。
また、図１に示すように、遊技盤装着部２１には、保持体３０が配設される側と反対側において、遊技盤４０の前面を係脱可能に押さえて同遊技盤４０を装着状態に保持するための留め具３５が配設されている。
【００１３】
すなわち、遊技盤装着部２１に対し遊技盤４０を装着する場合、まず、扉体１６が開かれ、次に、図４に示すように、保持体３０の差込溝３２の開口部が前側に指向する位置まで保持体３０が軸３１を中心として所定角度だけ回動される。ここで、保持体３０の差込溝３２に遊技盤４０の一側部が差し込まれる。その後、遊技盤４０と共に、保持体３０が元の装着位置まで回動される。そして、遊技盤装着部２１に遊技盤４０が配置されたところで、留め具３５を回動操作して遊技盤４０の前面に係合させることによって、遊技盤装着部２１に遊技盤４０が装着位置に保持されるようになっている。
また、前記とは逆の手順で操作することで、遊技盤装着部２１から遊技盤４０が取り外されるようになっている。
【００１４】
図１と図２に示すように、遊技盤４０の後側にはカバー体４４が装着されており、そのカバー体４４の後面には、主制御基板（この発明の制御基板に相当する）４６が収納された主基板ボックス４５と、副制御基板４８が収納された副基板ボックス４７とが上下に隣接して装着されている。
【００１５】
遊技盤４０側には、後述する遊技盤用外部端子基板６０の所在を表示する遊技盤対応表示手段が設けられている。
この実施の形態では、遊技盤４０の後側に装着されたカバー体４４後面の片側（図２に向かって右側）寄りの上下方向略中央部において、遊技盤用外部端子基板６０に接近して貼り付けられた遊技盤対応表示シール６８によって遊技盤対応表示手段が構成されている。
図５に示すように、遊技盤対応表示シール６８には、遊技盤用外部端子基板６０の所在を表示するための印、例えば矢印６９が表示されている。
また、遊技盤対応表示シール６８には、遊技盤４０の種類に合致した複数の遊技系情報にそれぞれ対応する表示６８ａ〜ｄがなされている。
例えば、遊技盤４０が第１種パチンコ機に対応する場合、遊技盤対応表示シール６８には、大当たり情報１、大当たり情報２、図柄確定情報１、図柄確定情報２、始動口通過情報、確率変動中情報、時間短縮中情報等の複数の遊技系情報にそれぞれ対応する表示６８ａ〜ｄがなされている。
また、遊技盤４０が第２種パチンコ機に対応する場合、遊技盤対応表示シール６８には、大当たり情報、羽根開閉回数情報、始動口通過情報１、始動口通過情報２等の複数の遊技系情報にそれぞれ対応する表示６８ａ〜ｄがなされている。
【００１６】
遊技機の本体枠側には主制御基板４６からの遊技系情報を外部に伝達可能な遊技盤用外部端子基板６０が配設されている。
この実施の形態では、遊技機の本体枠の一部を構成する機構盤２０後面の片側（図２に向かって右側）寄り上下方向略中央部に、主制御基板４６からの遊技系情報を外部に伝達可能な遊技盤用外部端子基板６０が配設されている。
この遊技盤用外部端子基板６０上には、各種の遊技系情報の信号をホールコンピュータにそれぞれ個別に伝達するための複数の外部出力用端子６１〜６４が配設されている。そして、遊技ホールにおいて、遊技盤用外部端子基板６０の複数の外部出力用端子６１〜６４のうち、必要される遊技系情報に対応する外部出力用端子に接続線の一方の端末コネクタが接続され、同接続線の他方の端末コネクタがホールコンピュータに接続されるようになっている。
【００１７】
また、機構盤２０後面の片側（図２に向かって右側）寄り上部には、枠系情報を外部に伝達可能な枠用外部端子基板５０とその枠用外部端子基板５０に対応する枠対応表示シール５８とが左右に接近して配設されている。この枠用外部端子基板５０は、機構盤２０後面の所定位置に配置された払出制御基板（図示しない）と扉検出器にそれぞれ電気的に接続されている。
枠対応表示シール５８には、複数の枠系情報にそれぞれ対応する表示がなされている。枠系情報としては、例えば、扉体開放情報、球切れ情報、磁気検知情報等の枠系情報がある。
また、枠用外部端子基板５０上には、各種の枠系情報の信号をホールコンピュータにそれぞれ個別に伝達するための複数の外部出力用端子５１〜５５が配設されている。そして、遊技ホールにおいて、枠用外部端子基板５０の複数の外部出力用端子５１〜５５のうち、必要される枠系情報に対応する外部出力用端子は、その外部出力用端子にコネクタ接続される接続線によってホールコンピュータに電気的に接続されるようになっている。
【００１８】
また、本体枠側と遊技盤４０側との間には、遊技盤装着部２１に対する遊技盤４０の装着動作によって主制御基板４６と遊技盤用外部端子基板６０とを電気的に接続する接続端子が設けられている。
この実施の実施の形態において、図１と図２に示すように、機構盤２０の開口部周縁部に設けられた遊技盤装着部２１の保持体３０の後面に本体枠側コネクタ７０が配設されている。この本体枠側コネクタ７０は、接続線７１によって遊技盤用外部端子基板６０に電気的に接続されている。
一方、遊技盤４０の後面には、遊技盤装着部２１の保持体３０に形成された差込溝３２に遊技盤４０の一側部を差し込む装着動作によって本体枠側コネクタ７０に差し込み可能な遊技盤側コネクタ７５が装着されている。この遊技盤側コネクタ７５は、接続線７６によって主制御基板４６に電気的に接続されている。
【００１９】
この実施の形態に係る遊技機は、上述したように構成される。したがって、遊技盤装着部２１に対し遊技盤４０を装着する場合、まず、扉体１６が開かれ、次に、図４に示すように、保持体３０の差込溝３２の開口部が前側に指向する位置まで保持体３０が軸３１を中心として所定角度だけ回動される。ここで、保持体３０の差込溝３２に遊技盤４０の一側部が差し込まれる。その後、遊技盤４０と共に、保持体３０が元の装着位置まで回動され、遊技盤装着部２１に遊技盤４０が配置されたところで、留め具３５を回動操作して遊技盤４０の前面に係合させることによって、遊技盤装着部２１に遊技盤４０が装着保持される。
【００２０】
この実施の実施の形態において、図１と図２に示すように、遊技盤装着部２１の保持体３０の後面に本体枠側コネクタ７０が配設される一方、遊技盤４０の後面に本体枠側コネクタ７０に差し込み可能な遊技盤側コネクタ７５が装着されている。
このため、図４に示すように、遊技盤装着部２１の保持体３０の差込溝３２に遊技盤４０の一側部が差し込まれる装着動作によって、本体枠側コネクタ７０に遊技盤側コネクタ７５が差し込まれて電気的に接続される。これによって、遊技盤４０側の主制御基板４６と本体枠側の遊技盤用外部端子基板６０とが本体枠側コネクタ７０と遊技盤側コネクタ７５を介して電気的に接続される。
このため、遊技盤装着部２１に遊技盤４０を装着した後、遊技盤４０側の主制御基板４６と本体枠側の遊技盤用外部端子基板６０とを接続線を用いかつ手作業によって電気的に接続する手間を省くことができる。
【００２１】
また、遊技盤装着部２１に装着された遊技盤４０を取り外す場合には、前記した装着操作とは逆の手順で操作することで、遊技盤装着部２１から遊技盤４０が取り外される。このため、遊技盤４０の着脱交換（新旧交換）を遊技機の前側において容易に行うことができる。
また、前記したように本体枠側の遊技盤装着部２１に遊技盤４０が装着された状態において、遊技盤用外部端子基板６０が本体枠側の機構盤２０の後面に配設されているため、遊技盤４０を着脱交換（新旧交換）する場合等において、遊技盤４０の着脱交換に係わらず遊技盤用外部端子基板６０を継続して使用可能となる。言い換えると、遊技盤装着部２１から取り外した使用済みの遊技盤４０と共に遊技盤用外部端子基板６０が廃棄処分されることがない。
また、同機種の遊技盤４０の着脱交換（新旧交換）の場合には、遊技盤用外部端子基板６０とホールコンピュータとの電気的な接続においても、接続し直すことなくそのままの接続状態で継続使用可能となり、電気的な接続作業や接続の誤り等を解消することができる。
【００２２】
また、この実施の形態において、遊技盤４０後面の所定位置には、遊技盤対応表示手段６７を構成する遊技盤対応表示シール６８が貼り付けられている。
この遊技盤対応表示シール６８には、図５に示すように、遊技盤用外部端子基板６０の所在を表示するための印、例えば矢印６９が表示されている。このため、遊技盤対応表示シール６８の矢印６９の方向を目視することで、遊技盤用外部端子基板６０の所在が明確となる。
また、この遊技盤対応表示シール６８には、遊技盤４０の種類に合致した複数の遊技系情報にそれぞれ対応する表示６８ａ〜ｄがなされている。
したがって、遊技盤対応表示シール６８に表示されている複数の遊技系情報を目視することで、本体枠側の遊技盤用外部端子基板６０の各外部出力用端子６１〜６４の種類を明確化することができる。このため、遊技ホールにおいて、遊技盤用外部端子基板６０の各外部出力用端子６１〜６４とホールコンピュータとの電気的接続を容易にかつ正確に行うことができる。
【００２３】
なお、この発明は前記実施の形態に限定するものではない。
例えば、前記実施の形態においては、遊技盤装着部２１の保持体３０の差込溝３２に遊技盤４０の一側部が差し込まれる装着動作によって、本体枠側コネクタ７０に遊技盤側コネクタ７５が差し込まれて電気的に接続されるように構成したが、保持体３０と共に、遊技盤４０が装着位置まで回動されるときに、その遊技盤４０の回動動作によって本体枠側コネクタ７０に遊技盤側コネクタ７５が差し込まれて電気的に接続されるように構成することも可能である。この場合、遊技盤４０の回動支点から離れた位置において、本体枠側には本体枠側コネクタ７０が、遊技盤４０側には遊技盤側コネクタ７５が配設される。
また、前枠体１３に遊技盤装着部２１を形成し、その前枠体１３の後側から遊技盤４０を嵌込みによって装着する構成にしてもよい。この場合、前枠体１３側に本体枠側コネクタ７０が、遊技盤４０側に遊技盤側コネクタ７５が配設される。
【００２４】
また、本体枠側コネクタ７０や遊技盤側コネクタ７５を配設することなく接続線の両端末コネクタを遊技盤４０側の主制御基板４６の基板コネクタと本体枠側の遊技盤用外部端子基板６０の基板コネクタに手作業によってそれぞれ差し込んで電気的に接続してもよい。
この場合、遊技盤４０側の遊技盤対応表示シール６８に表示されている矢印６９の方向を目視することで、本体枠側の遊技盤用外部端子基板６０の所在が明確となる。このため、遊技盤４０側の主制御基板４６と本体枠側の遊技盤用外部端子基板６０との電気的な接続を容易にかつ正確に行うことができる。
また、本体枠側の遊技盤用外部端子基板６０の所在を表示するための遊技盤４０側の遊技盤対応表示手段６７としては遊技盤対応表示シール６８の他、例えば、遊技盤４０の後側に配設されるカバー体４４の後面に矢印を表示して構成することも可能である。また、カバー体４４を合成樹脂材の２色成形によって形成し、遊技盤対応表示手段６７を色によって識別できるように構成することも可能である。この場合、遊技盤４０側の所定位置、例えば、カバー体４４の後面に遊技盤対応表示シールを貼り付ける手間を省くことができる。
また、この発明は、パチンコ機（雀球機、アレンジボール機等も含む）やパチンコ球を用いてスロットマシン遊技を行うように構成した遊技機に採用することができる。パチンコ球を用いてスロットマシン遊技を行う遊技機において、本体枠側に着脱交換可能に装着される遊技盤にリールユニット（ドラムユニット、回胴ユニット等共呼ばれる）と制御基板（主制御基板）とが装着される。
また、本体枠側に着脱交換可能に装着される遊技盤にリールユニットと制御基板（主制御基板）とが装着されたスロットマシン等の遊技機にも採用することができる。
【００２５】
【発明の効果】
以上述べたように、この発明によれば、遊技盤用外部端子基板を遊技機の本体枠側に配設することで、遊技盤用外部端子基板を継続して使用可能にすることができるとともに、遊技盤側の制御基板と本体枠側の遊技盤用外部端子基板とを容易かつ正確に接続することができる。
【図面の簡単な説明】
【図１】この発明の実施の形態に係る遊技機を簡略化して示す平断面図である。
【図２】同じく遊技機を簡略化して示す背面図である。
【図３】同じく本体枠側の遊技盤装着部の保持体と遊技盤の一側部との関係を示す平断面図である。
【図４】同じく保持体の差込溝に遊技盤の一側部を差し込む前の状態を示す説明図である。
【図５】同じく本体枠側の遊技盤用外部端子基板と遊技盤側の遊技盤対応表示シールとの関係を拡大して示す説明図である。
【符号の説明】
１０  外枠体
１３  前枠体（本体枠）
１６  扉体
２０  機構盤（本体枠）
２１  遊技盤装着部
３０  保持体
４０  遊技盤
４４  カバー体
４６  主制御基板（制御基板）
６０  遊技盤用外部端子基板
６７  遊技盤対応表示手段
６８  遊技盤対応表示シール
７０  本体枠側コネクタ
７５  遊技盤側コネクタ
【図１】
2004267537.tif 000003
【図２】
2004267537.tif 000004
【図３】
2004267537.tif 000005
【図４】
2004267537.tif 000006
【図５】
2004267537.tif 000007